(57)【要約】【課題】レーザ駆動電流に重畳させる周波数が変化しても、レーザダイオードから出力されるパルスの振幅が変動しないようにする。【解決手段】レーザ駆動部３１は、重畳周波数設定端子３５には共通抵抗３７を接続し、重畳振幅設定端子３６には共通抵抗３７と差分抵抗３８とを接続し、重畳周波数設定抵抗値と重畳振幅設定抵抗値の値の一部を共通抵抗３７に共通化させる。このためレーザ駆動部３１は、共通抵抗３７の抵抗値のばらつきにより重畳周波数が高くなると重畳振幅も大きくなるような、特性曲線Ｑ３が得られる。これによりレーザ駆動部３１は、共通抵抗３７の抵抗値がばらついて重畳周波数が変動することがあっても、当該変動に追従するように重畳振幅を変動させ、レーザダイオード２２に常にほぼ一定の振幅であるパルスを出力させることができる。【選択図】図３
2010244609.tif 000002
【特許請求の範囲】
【請求項１】
周波数設定端子に接続される素子の特性値を基に周波数を設定すると共に振幅設定端子に接続される素子の特性値を基に振幅を設定した高周波電流を、所定の光源に供給する光源駆動部と、
上記周波数設定端子及び上記振幅設定端子に共通に接続された共通素子と、
上記周波数設定端子又は上記振幅設定端子のいずれか一方に接続された差分素子と
を有する光源駆動装置。
【請求項２】
上記共通素子及び上記差分素子は抵抗器であり、
上記光源駆動部は、
上記周波数設定端子に接続される抵抗器の抵抗値を基に周波数を設定すると共に上記振幅設定端子に接続される抵抗器の抵抗値を基に振幅を設定する
請求項１に記載の光源駆動装置。
【請求項３】
上記光源駆動部は、
上記周波数設定端子又は上記振幅設定端子のいずれかのうち、上記共通素子及び上記差分素子が接続された一方の端子から、所定の電位である外部の接続点に対して直列に上記共通素子及び上記差分素子が接続される
請求項１に記載の光源駆動装置。
【請求項４】
上記光源駆動部は、
上記差分素子と共に所定の集積パッケージ内に組み込まれている
請求項１に記載の光源駆動装置。
【請求項５】
上記集積パッケージは、
複数の上記光源駆動部及び上記差分素子をパッケージ内に組み込んでいる
請求項４に記載の光源駆動装置。
【請求項６】
上記光源駆動部は、
上記共通素子の特性値が変動し上記高周波電流の周波数が高くなったとき、当該共通素子の特性値の変動により上記高周波電流の振幅が大きくなる
請求項１に記載の光源駆動装置。
【請求項７】
光ビームを出射する光源と、
上記光ビームを集光し所定の光ディスクに照射する対物レンズと、
周波数設定端子に接続される素子の特性値を基に周波数を設定すると共に振幅設定端子に接続される素子の特性値を基に振幅を設定した高周波電流を、所定の光源に供給する光源駆動部と、
上記周波数設定端子及び上記振幅設定端子に共通に接続された共通素子と、
上記周波数設定端子又は上記振幅設定端子のいずれか一方に接続された差分素子と、
上記光ディスクにより反射された上記光ビームが上記対物レンズを介して入射される受光部と
を有する光ピックアップ。
【請求項８】
上記光源駆動部は上記差分素子と共に所定の集積パッケージ内に組み込まれており、
当該集積パッケージは複数の上記光源駆動部及び上記差分素子をパッケージ内に組み込んでいる
請求項７に記載の光ピックアップ。
【請求項９】
光ビームを出射する光源と、
上記光ビームを集光し所定の光ディスクに照射する対物レンズと、
上記対物レンズを駆動することにより、上記光ビームの焦点の位置を制御するレンズ駆動制御部と、
周波数設定端子に接続される素子の特性値を基に周波数を設定すると共に振幅設定端子に接続される素子の特性値を基に振幅を設定した高周波電流を、所定の光源に供給する光源駆動部と、
上記周波数設定端子及び上記振幅設定端子に共通に接続された共通素子と、
上記周波数設定端子又は上記振幅設定端子のいずれか一方に接続された差分素子と、
上記光ディスクにより反射された上記光ビームが上記対物レンズを介して入射される受光部と
を有する光ディスク装置。
【発明の詳細な説明】
【技術分野】
【０００１】
本発明は光源駆動装置、光ピックアップ及び光ディスク装置に関し、例えば光ディスクに情報を記録又は光ディスクから情報を再生する際に、高周波電流を重畳させたレーザ駆動電流をレーザダイオードに供給する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等の光ディスクに対して光ビームを照射することで情報を記録し、また当該光ディスクから当該情報を読み出して再生するようになされたものが広く普及している。
【０００３】
光ディスクに光ビームを照射する素子としては、一般にレーザダイオードが用いられている。レーザダイオードを光源として用いる光ディスク装置では、光ディスクからの反射光がレーザダイオードに戻り、その戻り光の影響によってレーザダイオードから出射する光ビームのレーザノイズが大きくなってしまっていた。
【０００４】
この戻り光に起因するレーザノイズを低減させる方法として、光ピックアップのレーザ駆動回路において、レーザダイオードに供給する定常電流に高周波電流を重畳させレーザダイオードの駆動電流（以下、これをレーザ駆動電流と呼ぶ）とする方法が一般的に用いられている。
【０００５】
レーザダイオードは、レーザ駆動電流を供給されると、当該レーザ駆動電流に重畳されている高周波電流の振幅及び周波数に対応した振幅及び周波数を有する、パルス状でなる光ビームを出射する。
【０００６】
光ディスク装置のなかには、上記高周波電流の振幅と周波数を調整するために、振幅を調整するための抵抗と、周波数を調整するための抵抗とを、レーザ駆動回路の外部にそれぞれ独立させて設けたものがある。（例えば、特許文献１参照）。
【０００７】
図１２に示す従来のレーザ駆動部５３１では、高周波電流の周波数（以下、これを重畳周波数とも呼ぶ）を設定する外部抵抗４３７と、高周波電流の振幅（以下、これを重畳振幅とも呼ぶ）を設定する外部抵抗４３８とが、レーザ駆動回路２１の外部にそれぞれ設けられている。
【先行技術文献】
【特許文献】
【０００８】
【特許文献１】特開２００４−２８８８４２公報
【発明の概要】
【発明が解決しようとする課題】
【０００９】
一般に、レーザダイオードは、レーザ駆動電流を供給されるとレーザダイオードの注入キャリアの密度が増加していき、注入キャリア密度が動作密度に達したとき、光ビームを出射する。
【００１０】
ここで、外部抵抗４３８の抵抗値を固定したときの、外部抵抗４３７に対する重畳周波数の関係は、図４（Ａ）に示す特性曲線Ｑ１のようになる。特性曲線Ｑ１から分かるように、従来のレーザ駆動部５３１では、外部抵抗４３８の抵抗値を固定していたとしても、外部抵抗４３７の抵抗値を小さくするほど、重畳周波数は大きくなっていく。
【００１１】
また、外部抵抗４３７の抵抗値を固定したときの、外部抵抗４３８に対する重畳振幅の関係は、図４（Ｂ）に示す特性曲線Ｑ２のようになる。特性曲線Ｑ２から分かるように、従来のレーザ駆動部５３１では、外部抵抗４３７の抵抗値を固定していたとしても、外部抵抗４３８の抵抗値を小さくするほど、重畳振幅は大きくなっていく。
【００１２】
このとき外部抵抗４３７の抵抗値が小さい値にばらつくと、特性曲線Ｑ１（図４（Ａ））より、重畳周波数が高くなり、レーザ駆動電流ＳＤに重畳されている高周波電流による、一周期当たりにレーザダイオード２２に注入されるキャリア量が減る。以下、一周期当たりにレーザダイオード２２に注入されるキャリア量を、一周期注入キャリア量とも呼ぶ。
【００１３】
一方、上記レーザ駆動回路２１の外部に接続された抵抗は、その抵抗値にばらつきを有する。ここで、外部抵抗４３７の抵抗値が、レーザ駆動回路２１の設計時に設定した抵抗値よりも小さい値にばらついた場合、外部抵抗４３８の抵抗値を変化させていなくても、レーザダイオード２２から出射される光ビームのパルスの振幅が小さくなってしまう。
【００１４】
このように従来のレーザ駆動回路においては、重畳周波数が変動することによりレーザダイオードから出射する光ビームの振幅が不安定になってしまうという問題があった。
【００１５】
特に、重畳周波数が高くなっていくと、従来のレーザ駆動回路ではレーザダイオードから出射される光ビームの振幅が小さくなってしまい、戻り光に起因するレーザノイズにより、出射光ビームのＳ／Ｎ（Signal/Noise）比が低下してしまっていた。
【００１６】
本発明は以上の点を考慮してなされたもので、レーザダイオードからの光ビームを安定化し得る光源駆動装置、光ピックアップ及び光ディスク装置を提案しようとするものである。
【課題を解決するための手段】
【００１７】
かかる課題を解決するため本発明の光源駆動装置においては、周波数設定端子に接続される素子の特性値を基に周波数を設定すると共に振幅設定端子に接続される素子の特性値を基に振幅を設定した高周波電流を、所定の光源に供給する光源駆動部と、周波数設定端子及び振幅設定端子に共通に接続された共通素子と、周波数設定端子又は振幅設定端子のいずれか一方に接続された差分素子とを設けるようにした。
【００１８】
これにより本発明の光源駆動装置は、高周波電流の周波数が高くなると振幅も大きくなるような、特性を得ることができる。
【００１９】
また本発明の光ピックアップにおいては、光ビームを出射する光源と、光ビームを集光し所定の光ディスクに照射する対物レンズと、周波数設定端子に接続される素子の特性値を基に周波数を設定すると共に振幅設定端子に接続される素子の特性値を基に振幅を設定した高周波電流を、所定の光源に供給する光源駆動部と、周波数設定端子及び振幅設定端子に共通に接続された共通素子と、周波数設定端子又は振幅設定端子のいずれか一方に接続された差分素子と、光ディスクにより反射された光ビームが対物レンズを介して入射される受光部とを設けるようにした。
【００２０】
これにより本発明の光ピックアップは、高周波電流の周波数が高くなると振幅も大きくなるような、特性を得ることができる。
【００２１】
さらに本発明の光ディスク装置においては、光ビームを出射する光源と、光ビームを集光し所定の光ディスクに照射する対物レンズと、対物レンズを駆動することにより、光ビームの焦点の位置を制御するレンズ駆動制御部と、周波数設定端子に接続される素子の特性値を基に周波数を設定すると共に振幅設定端子に接続される素子の特性値を基に振幅を設定した高周波電流を、所定の光源に供給する光源駆動部と、周波数設定端子及び振幅設定端子に共通に接続された共通素子と、周波数設定端子又は振幅設定端子のいずれか一方に接続された差分素子と、光ディスクにより反射された光ビームが対物レンズを介して入射される受光部とを設けるようにした。
【００２２】
これにより本発明の光ディスク装置は、高周波電流の周波数が高くなると振幅も大きくなるような、特性を得ることができる。
【発明の効果】
【００２３】
本発明によれば光源駆動装置は、高周波電流の周波数が高くなると振幅も大きくなるような、特性を得ることができる。かくして本発明によれば、光源からの光ビームを安定化し得る光源駆動装置、光ピックアップ及び光ディスク装置を実現できる。
【図面の簡単な説明】
【００２４】
【図１】光ディスク装置の全体構成を示す略線図である。
【図２】光ピックアップの構成を示す略線図である。
【図３】第１の実施の形態によるレーザ駆動部の回路構成を示す略線的ブロック図である。
【図４】重畳周波数設定抵抗値と重畳周波数との関係及び重畳振幅設定抵抗値と重畳振幅との関係を示す略線図である。
【図５】レーザ駆動電流と光ビームとを示す略線図である。
【図６】第１の実施の形態による重畳周波数と重畳振幅との関係を示す略線図である。
【図７】第１の実施の形態による重畳周波数と光ビームの振幅との関係を示す略線図である。
【図８】第２の実施の形態によるレーザ駆動部の回路構成を示す略線的ブロック図である。
【図９】第３の実施の形態によるレーザ駆動部の回路構成を示す略線的ブロック図である。
【図１０】第４の実施の形態によるレーザ駆動部の回路構成を示す略線的ブロック図である。
【図１１】他の実施の形態によるレーザ駆動部の回路構成を示す略線的ブロック図である。
【図１２】従来のレーザ駆動部の回路構成を示す略線的ブロック図である。
【図１３】従来のレーザ駆動電流と光ビームとを示す略線図である。
【図１４】従来の重畳周波数と光ビームの振幅との関係を示す略線図である。
【発明を実施するための形態】
【００２５】
以下、発明を実施するための形態（以下実施の形態とする）について説明する。なお、説明は以下の順序で行う。
１．第１の実施の形態（共通抵抗及び差分抵抗をいずれもレーザ駆動回路の外部に設ける例）
２．第２の実施の形態（差分抵抗をレーザ駆動回路の内部に設ける例）
３．第３の実施の形態（差分抵抗をレーザ駆動回路の内部に設け、屈曲部を外部に設ける例）
４．第４の実施の形態（共通抵抗と屈曲部とをレーザ駆動回路の外部に設ける例）
５．他の実施の形態
【００２６】
＜１．第１の実施の形態＞
［１−１．光ディスク装置の構成］
図１に示す第１の実施の形態による光ディスク装置１は、制御部１１により全体を統括制御するようになされており、例えばＢＤ方式の光ディスクＯＤに対して情報を記録し、また当該光ディスクＯＤから当該情報を再生し得るようになされている。
【００２７】
制御部１１は、図示しないＣＰＵ(Central Processing Unit)と、各種プログラムなどが格納されるＲＯＭ(Read Only Memory)と、当該ＣＰＵのワークメモリとして用いられるＲＡＭ(Random Access Memory)とによって構成されている。
【００２８】
すなわち制御部１１は、駆動部１２を介してスピンドルモータ１３を回転駆動させ、ターンテーブル（図示せず）に載置された光ディスクＯＤを所望の速度で回転させる。また制御部１１は、駆動部１２を介してスレッドモータ１４を駆動させることにより、移動軸Ｇ１に沿って光ピックアップ２０を光ディスクＯＤの内周側又は外周側へ向かう方向であるトラッキング方向に大きく移動させる。
【００２９】
さらに制御部１１は、駆動部１２を介して光ピックアップ２０のアクチュエータ１５を駆動制御する。これにより制御部１１は、対物レンズ１６が搭載された対物レンズホルダ１７を光ディスクＯＤに近接又は離隔させるフォーカス方向に移動させると共にトラッキング方向に細かく移動させ、対物レンズ１６の位置調整を行う。
【００３０】
制御部１１は、例えば光ディスクＯＤに情報を記録する場合、当該情報を信号処理部１８に供給して所定の符号化処理及び変調処理等を施すことにより記録信号を生成し、これを光ピックアップ２０のレーザ駆動部３１に供給する。
【００３１】
レーザ駆動部３１は、信号処理部１８から供給される記録信号を基に生成した情報記録用の光ビームを、位置調整された対物レンズ１６を介して光ディスクＯＤへ照射する。これにより光ピックアップ２０は、当該光ディスクＯＤに情報を記録し得るようになされている。
【００３２】
また制御部１１は、光ディスクＯＤから情報を再生する場合、信号処理部１８から光ピックアップ２０のレーザ駆動部３１に再生光量信号を供給する。
【００３３】
レーザ駆動部３１は、信号処理部１８から供給される再生光量信号を基に、光ディスクＯＤに対し情報再生用の光ビームを照射させる。光ピックアップ２０は、当該光ビームが反射されてなる反射光ビームを検出し、その検出結果に応じた検出信号を生成し信号処理部１８に供給する。
【００３４】
信号処理部１８は、検出信号を基に再生ＲＦ信号を生成し、これに所定の復調処理や復号化処理等を施すことにより、光ディスクＯＤに記録されている情報を再生し得るようになされている。
【００３５】
さらに信号処理部１８は、検出信号を基にフォーカスエラー信号及びトラッキングエラー信号を生成し、これらを制御部１１での処理を経由して駆動部１２に供給することにより、対物レンズ１６のフォーカス制御及びトラッキング制御を行うようになされている。
【００３６】
［１−２．光ピックアップの構成］
図２に示す第１の実施の形態による光ピックアップ２０は、例えば光ディスクＯＤから情報を再生する際、信号処理部１８から供給される再生光量信号をレーザ駆動部３１のレーザ駆動回路２１に供給する。
【００３７】
レーザ駆動回路２１は、再生光量信号に応じて定常電流を生成し、当該定常電流に高周波電流を重畳させレーザ駆動電流ＳＤとし、当該レーザ駆動電流ＳＤをレーザダイオード２２に供給する。
【００３８】
レーザダイオード２２は、レーザ駆動電流ＳＤに基づいたレーザ光を光ビームＬ１として出射させ、１／２波長板２３へ入射させる。因みに光ビームＬ１は、レーザダイオード２２の特性により所定方向を偏光方向とする直線偏光となる。
【００３９】
１／２波長板２３は、光ビームＬ１における偏光方向を所定角度回転させることによりＰ偏光ビームとＳ偏光ビームとの光量比率を所定の割合とし、偏光ビームスプリッタ２４へ入射させる。
【００４０】
偏光ビームスプリッタ２４は、光ビームの偏光方向に応じて反射率が異なる偏光反射面２４Ｓを有している。実際上偏光ビームスプリッタ２４は、偏光反射面２４Ｓにより光ビームＬ１のうちＳ偏光ビームを反射して図示しない光量制御用光検出器に入射させると共に、Ｐ偏光ビームを透過してコリメータ２５へ入射させる。
【００４１】
コリメータ２５は、光ビームＬ１を発散光から平行光に変換し、立上ミラー２６により反射させた上で、１／４波長板２７へ入射させる。１／４波長板２７は、光ビームの偏光状態を直線偏光から円偏光へ、又は円偏光から直線偏光へ変換するようになされており、例えばＰ偏光でなる光ビームＬ１を左円偏光に変換し、対物レンズ１６へ入射させる。
【００４２】
対物レンズ１６は、光ビームＬ１を集光し、光ディスクＯＤの記録層に照射する。そのとき光ビームＬ１は、光ディスクＯＤの記録層により反射されて右円偏光の反射光ビームＬ２となり、光ビームＬ１の光路を反対方向へ辿っていく。
【００４３】
すなわち反射光ビームＬ２は、対物レンズ１６により平行光に変換され、１／４波長板２７によりＳ偏光の直線偏光に変換され、立上ミラー２６により反射され、コリメータ２５により集光されて偏光ビームスプリッタ２４へ入射される。
【００４４】
偏光ビームスプリッタ２４は、偏光反射面２４ＳによりＳ偏光でなる反射光ビームＬ２を反射し、集光レンズ２８へ入射させる。
【００４５】
集光レンズ２８は、反射光ビームＬ２をフォトディテクタ２９に集光する。フォトディテクタ２９は、表面に複数の検出領域が設けられており、各検出領域における反射光ビームＬ２の検出結果を基に検出信号を生成し、これを信号処理部１８（図１）へ送出する。
【００４６】
信号処理部１８は、検出信号を基に所定の演算処理を行うことにより、フォーカスエラー信号及びトラッキングエラー信号を生成し、これらを制御部１１での処理を経て駆動部１２に供給するようになされている。
【００４７】
このように光ピックアップ２０は、光ディスクＯＤから情報を再生する際、レーザ駆動回路２１によりレーザ駆動電流ＳＤを生成しレーザダイオード２２へ供給する。これにより光ディスク装置１は、光ディスクＯＤに記録されている情報を再生し得るようになされている。
【００４８】
［１−３．レーザ駆動部の構成］
図３に示す第１の実施の形態によるレーザ駆動部３１は、信号処理部１８（図１）から再生光量信号を供給されると当該再生光量信号をレーザ駆動回路２１に供給する。レーザ駆動回路２１は、当該再生光量信号に応じた定常電流を生成する。さらにレーザ駆動回路２１は、高周波重畳回路３２により当該定常電流に高周波電流を重畳してレーザ駆動電流ＳＤを生成し、レーザダイオード２２に供給する。
【００４９】
レーザダイオード２２は、レーザ駆動電流ＳＤを供給されると、当該レーザ駆動電流ＳＤに重畳されている高周波電流の周期と等しい周期でなり、当該高周波電流の周期及び振幅に対応した振幅を有する、パルス状でなる光ビームＬ１を出射する。
【００５０】
レーザ駆動回路２１は集積回路（ＩＣ：Integrated Circuit）であり、外部に外部端子３３及び外部端子３４の２本の端子が設けられ、それぞれ抵抗が接続されるようになされている。
【００５１】
レーザ駆動回路２１内部に設けられた高周波重畳回路３２は、重畳周波数設定端子３５及び重畳振幅設定端子３６の２本の端子が設けられており、それぞれ上記外部端子３３及び外部端子３４と接続されている。
【００５２】
高周波重畳回路３２は、重畳周波数設定端子３５における基準電位ＧＮＤからの抵抗値（以下、これを重畳周波数設定抵抗値とも呼ぶ）を変更されることにより、電源ＰＯＷから重畳周波数設定端子３５に流れる電流を調整される。
【００５３】
そして高周波重畳回路３２は、内部に設けられた図示しない増幅器等により、上記電流に応じて重畳周波数を調整する。
【００５４】
ここでレーザ駆動回路２１は、重畳周波数設定抵抗値を小さくするほど、重畳周波数設定端子３５に流れる電流は大きくなり、それに応じて重畳周波数が高くなるようになされている。
【００５５】
一方高周波重畳回路３２は、重畳振幅設定端子３６における基準電位ＧＮＤからの抵抗値（以下、これを重畳振幅設定抵抗値とも呼ぶ）を変更されることにより、電源ＰＯＷから重畳振幅設定端子３６に流れる電流を調整される。
【００５６】
そして高周波重畳回路３２は、内部に設けられた図示しない増幅器等により、上記電流に応じて重畳振幅を調整する。
【００５７】
ここでレーザ駆動回路２１は、重畳振幅設定抵抗値を小さくするほど、重畳振幅設定端子３６に流れる電流は大きくなり、それに応じて重畳振幅が大きくなるようになされている。
【００５８】
上記外部端子３３には共通抵抗３７が接続されており、重畳周波数設定端子３５は共通抵抗３７を介して基準電位ＧＮＤと接続されている。そのとき重畳周波数設定抵抗値は共通抵抗３７の抵抗値となる。
【００５９】
一方上記外部端子３４には差分抵抗３８が接続されており、重畳振幅設定端子３６は共通抵抗３７及び差分抵抗３８を介して基準電位ＧＮＤと接続されている。そのとき重畳振幅設定抵抗値は共通抵抗３７と差分抵抗３８との抵抗値の和となる。また、共通抵抗３７の抵抗値は差分抵抗３８の抵抗値よりも十分に大きい値に設定されており、例えば共通抵抗３７の抵抗値が１０［ｋΩ］、差分抵抗３８の抵抗値が１［ｋΩ］に設定されている。このため重畳振幅設定抵抗値は、共通抵抗３７の抵抗値が支配的になっている。
【００６０】
またレーザ駆動部３１は、重畳周波数設定抵抗値よりも重畳振幅設定抵抗値の方を大きい抵抗値に設定するようになされている。このためレーザ駆動部３１は重畳周波数設定抵抗値を共通抵抗３７の抵抗値のみとし、重畳振幅設定抵抗値を共通抵抗３７と差分抵抗３８との抵抗値の和としている。
【００６１】
ところで上述したように、レーザ駆動回路２１においては重畳周波数設定抵抗値が小さくなるほど、重畳周波数が高くなる。このため、重畳周波数設定抵抗値に対する重畳周波数の関係は、図４（Ａ）における特性曲線Ｑ１のようになる。
【００６２】
ここで、共通抵抗３７の抵抗値を抵抗値Ｒ１１と設定する。このとき重畳周波数設定抵抗値は共通抵抗３７の抵抗値と同じく抵抗値Ｒ１１となり、特性曲線Ｑ１よりそのときの重畳周波数は周波数ｆ１１となる。
【００６３】
また上述したように、レーザ駆動回路２１においては重畳振幅設定抵抗値が小さくなるほど、重畳振幅が大きくなる。このため、重畳振幅設定抵抗値に対する重畳振幅の関係は、図４（Ｂ）における特性曲線Ｑ２のようになる。
【００６４】
また差分抵抗３８の抵抗値を抵抗値Ｒ２１と設定する。重畳振幅設定抵抗値は、共通抵抗３７と差分抵抗３８との抵抗値の和となるため、抵抗値Ｒ１１と抵抗値Ｒ２１との和である、抵抗値Ｒ２２となる。このため、特性曲線Ｑ２よりそのときの重畳振幅は振幅ａ２２となる。
【００６５】
図５（Ａ）に、そのときのレーザ駆動電流ＳＤを示す。重畳周波数設定抵抗値が抵抗値Ｒ１１であるときのレーザ駆動電流ＳＤの周波数は、重畳周波数である周波数ｆ１１となり、周期Ｔ１はその逆数である周期（１／ｆ１１）となる。またレーザ駆動電流ＳＤの振幅は、重畳振幅である振幅ａ２２となる。当該レーザ駆動電流ＳＤを供給されたレーザダイオード２２は、当該レーザ駆動電流ＳＤと等しい周期Ｔ１であり、周期Ｔ１及び振幅ａ２２に対応した振幅Ａ１でなるパルスを繰り返す光ビームＬ１１を出射する。
【００６６】
ここで、共通抵抗３７が抵抗値Ｒ１１よりも小さい抵抗値である抵抗値Ｒ１２にばらついた場合について説明する。また、差分抵抗３８の抵抗値は変化せず一定の抵抗値Ｒ２１であるとする。
【００６７】
共通抵抗３７は抵抗値Ｒ１２であるため、重畳周波数設定抵抗値は共通抵抗３７と同じく抵抗値Ｒ１２となり、特性曲線Ｑ１（図４（Ａ））よりそのときの重畳周波数は周波数ｆ１１よりも高い周波数ｆ１２となる。
【００６８】
重畳振幅設定抵抗値は、共通抵抗３７と差分抵抗３８との抵抗値の和であるため、共通抵抗３７の抵抗値の変動分（抵抗値Ｒ１１−抵抗値Ｒ１２）だけ抵抗値Ｒ２２よりも小さくなり、抵抗値Ｒ２３となる。このため、特性曲線Ｑ２よりそのときの重畳振幅は振幅ａ２２よりも大きい振幅ａ２３となる。
【００６９】
このように共通抵抗３７の抵抗値が小さくなると、重畳周波数が高くなっていき、かつ重畳振幅も大きくなっていく。このため重畳周波数に対する重畳振幅の関係は、図６における特性曲線Ｑ３のようになる。
【００７０】
図５（Ｂ）に、そのときのレーザ駆動電流ＳＤを示す。重畳周波数設定抵抗値が抵抗値Ｒ１２であるときのレーザ駆動電流ＳＤの周波数は、重畳周波数である周波数ｆ１２となり、周期Ｔ２はその逆数である周期（１／ｆ１２）となる。またレーザ駆動電流ＳＤの振幅は、重畳振幅である振幅ａ２３となる。当該レーザ駆動電流ＳＤを供給されたレーザダイオード２２は、当該レーザ駆動電流ＳＤと等しい周期Ｔ２であり、周期Ｔ２及び振幅ａ２３に対応した振幅Ａ１でなるパルスを繰り返す光ビームＬ１２を出射する。
【００７１】
ここで、特性曲線Ｑ１より共通抵抗３７の抵抗値が小さくなり重畳周波数が高くなると、一周期注入キャリア量が減ってしまう。しかし特性曲線Ｑ３より、重畳周波数の高周波化に伴って重畳振幅が大きくなるため、一周期注入キャリア量は増加し、結果としてレーザダイオード２２は、共通抵抗３７の抵抗値が小さくなる前とほぼ等しいキャリア量を注入される。
【００７２】
このため、共通抵抗３７の抵抗値が抵抗値Ｒ１１である場合と、小さくなる方向にばらついた抵抗値Ｒ１２である場合での、レーザダイオード２２に供給するレーザ駆動電流ＳＤに重畳されている高周波電流による一周期注入キャリア量が、どちらもほぼ等しくなる。
【００７３】
これにより、共通抵抗３７の抵抗値が抵抗値Ｒ１１である場合の光ビームＬ１１のパルスの振幅と、小さくなる方向にばらついた抵抗値Ｒ１２である場合の光ビームＬ１２のパルスの振幅は、Ａ１で等しくなる。
【００７４】
以上、共通抵抗３７の抵抗値が小さくなる方向にばらついた場合について述べたが、抵抗値が大きくなる方向にばらついた場合、重畳周波数設定抵抗値は大きくなり、特性曲線Ｑ１より重畳周波数は低くなる。
【００７５】
このため一周期注入キャリア量が増えるが、特性曲線Ｑ３より、重畳周波数の低周波化に伴って重畳振幅が小さくなるため、一周期注入キャリア量は減少する。これにより、結果としてレーザ駆動回路２１は共通抵抗３７の抵抗値が大きくなる前とほぼ等しいキャリア量をレーザダイオード２２に注入でき、光ビームのパルスの振幅が同等となる。
【００７６】
このため、重畳周波数に対する光ビームのパルスの振幅の関係は、図７における特性曲線Ｑ４のようになる。すなわち、共通抵抗３７の抵抗値がばらついて重畳周波数が変化することがあっても、レーザダイオード２２は常にほぼ一定の振幅であるパルスを出力することができる。
【００７７】
また以上は光ディスクＯＤに対する再生時における高周波電流の重畳について説明したが、光ディスクＯＤに対する記録時においても、本実施の形態を適用することができる。
【００７８】
ここで共通抵抗３７の抵抗値に対して差分抵抗３８の抵抗値が小さくなるほど、共通化していない差分抵抗３８の抵抗値がばらついても重畳振幅設定抵抗値に大きな影響を与えなくなる。このため共通抵抗３７は、重畳周波数設定抵抗値と重畳振幅設定抵抗値に対して可能な限り大きな抵抗値を共通化するような値であることが望ましい。
【００７９】
またさらに、仮に重畳周波数設定抵抗値と重畳振幅設定抵抗値とが等しい設定であるレーザ駆動回路の場合、差分抵抗３８を省略して短絡し、外部端子３３と外部端子３４には共通抵抗３７のみを接続して、抵抗値を完全に共通化するとより望ましい。これによりレーザ駆動回路は、重畳周波数設定抵抗値と重畳振幅設定抵抗値とを共通抵抗３７の抵抗値のみで設定でき、差分抵抗３８の抵抗値のばらつく要素をなくすことができる。
【００８０】
［１−４．動作及び効果］
以上の構成においてレーザ駆動部３１は、高周波重畳回路３２により定常電流に高周波電流を重畳してレーザ駆動電流ＳＤを生成し、レーザダイオード２２に供給することにより、パルス状でなる光ビームを出射させる。
【００８１】
ここで、従来のレーザ駆動部５３１について検討する。図１２に示したように、レーザ駆動部５３１はレーザ駆動部３１と比較して、外部端子３３及び外部端子３４にそれぞれ独立して抵抗が接続されている点が異なっている。
【００８２】
外部端子３３には重畳周波数設定抵抗４３７が接続されており、重畳周波数設定端子３５は重畳周波数設定抵抗４３７を介して基準電位ＧＮＤと接続されている。そのとき重畳周波数設定抵抗値は重畳周波数設定抵抗４３７の抵抗値となる。
【００８３】
一方外部端子３４には重畳振幅設定抵抗４３８が接続されており、重畳振幅設定端子３６は重畳振幅設定抵抗４３８を介して基準電位ＧＮＤと接続されている。そのとき重畳振幅設定抵抗値は重畳振幅設定抵抗４３８の抵抗値となる。
【００８４】
従来のレーザ駆動回路２１においては、本実施の形態のレーザ駆動回路２１と同様に、重畳周波数設定抵抗値が小さくなるほど、重畳周波数が高くなる。このため、重畳周波数設定抵抗値に対する重畳周波数の関係は、図４（Ａ）に示した特性曲線Ｑ１のようになる。
【００８５】
ここで重畳周波数設定抵抗は抵抗値Ｒ３１と設定されている。このため重畳周波数設定抵抗値も抵抗値Ｒ３１となり、特性曲線Ｑ１よりそのときの重畳周波数は周波数ｆ３１となる。
【００８６】
また従来のレーザ駆動回路２１においては、本実施の形態のレーザ駆動回路２１と同様に、重畳振幅設定抵抗値が小さくなるほど、重畳振幅が大きくなる。このため、重畳振幅設定抵抗値に対する重畳振幅の関係は、図４（Ｂ）に示した特性曲線Ｑ２のようになる。
【００８７】
ここで重畳振幅設定抵抗は、抵抗値Ｒ４１と設定されている。このため重畳周波数設定抵抗値も抵抗値Ｒ４１となり、特性曲線Ｑ２よりそのときの重畳振幅は振幅ａ４１となる。
【００８８】
図１３（Ａ）に、そのときのレーザ駆動電流ＳＤを示す。重畳周波数設定抵抗値が抵抗値Ｒ３１であるときのレーザ駆動電流ＳＤの周波数は、重畳周波数である周波数ｆ３１となり、周期Ｔ３はその逆数である周期（１／ｆ３１）となる。またレーザ駆動電流ＳＤの振幅は、重畳振幅である振幅ａ４１となる。当該レーザ駆動電流ＳＤを供給されたレーザダイオード２２は、当該レーザ駆動電流ＳＤと等しい周期Ｔ３であり、周期Ｔ３及び振幅ａ４１に対応した振幅Ａ２でなるパルスを繰り返す光ビームＬ３１を出射する。
【００８９】
次に、重畳周波数設定抵抗が抵抗値Ｒ３１よりも小さい抵抗値である抵抗値Ｒ３２にばらついた場合を想定する。また、重畳振幅設定抵抗の抵抗値は変化せず一定の抵抗値Ｒ４１であるとする。
【００９０】
重畳周波数設定抵抗は抵抗値Ｒ３２であるため、重畳周波数設定抵抗値も同じく抵抗値Ｒ３２となり、特性曲線Ｑ１よりそのときの重畳周波数は周波数ｆ３１よりも高い周波数ｆ３２となる。
【００９１】
重畳振幅設定抵抗は抵抗値Ｒ４１から変化しないため、重畳振幅設定抵抗値も同じく抵抗値Ｒ４１となり、特性曲線Ｑ２よりそのときの重畳振幅は振幅ａ４１である。
【００９２】
図１３（Ｂ）に、そのときのレーザ駆動電流ＳＤを示す。重畳周波数設定抵抗値が抵抗値Ｒ３２であるときのレーザ駆動電流ＳＤの周波数は、重畳周波数である周波数ｆ３２となり、周期Ｔ４はその逆数である周期（１／ｆ３２）となる。またレーザ駆動電流ＳＤの振幅は、重畳振幅である振幅ａ４１となる。当該レーザ駆動電流ＳＤを供給されたレーザダイオード２２は、当該レーザ駆動電流ＳＤと等しい周期Ｔ４であり、周期Ｔ４及び振幅ａ４１に対応した振幅Ａ３でなるパルスを繰り返す光ビームＬ３２を出射する。
【００９３】
ここで、重畳周波数設定抵抗の抵抗値が小さくなると、レーザダイオード２２に供給するレーザ駆動電流ＳＤに重畳されている高周波電流による、一周期注入キャリア量が減る。
【００９４】
このため図１３に示したように、重畳周波数設定抵抗の抵抗値が抵抗値Ｒ３１である場合の光ビームＬ３１のパルスの振幅Ａ２よりも、小さくなる方向にばらついた抵抗値Ｒ３２である場合の光ビームＬ３２のパルスの振幅Ａ３の方が小さくなる。
【００９５】
すなわち重畳周波数が高くなるほど光ビームのパルスの振幅は小さくなるため、重畳周波数に対する光ビームのパルスの振幅の関係は、図１４に示す特性曲線Ｑ５のようになる。このように従来のレーザ駆動部５３１においては、重畳周波数設定抵抗の抵抗値が低い値にばらついて重畳周波数が高くなると、重畳振幅設定抵抗の抵抗値を変化させていなくても、レーザダイオード２２のパルスの振幅が小さくなってしまっていた。
【００９６】
これに対し本実施の形態によるレーザ駆動部３１は、重畳周波数設定抵抗値と重畳振幅設定抵抗値の値の一部を共通抵抗３７に共通化させるようにした。
【００９７】
このため共通抵抗３７の抵抗値がばらつくと、特性曲線Ｑ１（図４（Ａ））上における重畳周波数設定抵抗値と特性曲線Ｑ２（図４（Ｂ））における重畳振幅設定抵抗値とは、同じ値だけ変動する。
【００９８】
これによりレーザ駆動部３１は、共通抵抗３７の抵抗値のばらつきにより重畳周波数が高くなると重畳振幅も大きくなるような、特性曲線Ｑ３（図６）が得られる。
【００９９】
かくしてレーザ駆動部３１は、共通抵抗３７の抵抗値がばらついて重畳周波数が変動することがあっても、当該変動に追従するように変動幅を揃えて重畳振幅を変動させるため、レーザダイオード２２に常にほぼ一定の振幅であるパルスを出力させることができる。
【０１００】
またレーザ駆動部３１は、共通抵抗３７の抵抗値を差分抵抗３８の抵抗値よりも十分に大きい値に設定するようにした。
【０１０１】
このため、差分抵抗３８の抵抗値がばらいたとしても、重畳振幅の変動幅を小さく抑えることができ、重畳周波数との変動幅の乖離を防ぐことができる。
【０１０２】
以上の構成によれば、レーザ駆動部３１は、重畳周波数設定端子３５には共通抵抗３７を接続し、重畳振幅設定端子３６には共通抵抗３７と差分抵抗３８とを接続し、重畳周波数設定抵抗値と重畳振幅設定抵抗値の値の一部を共通抵抗３７に共通化させる。またレーザ駆動部３１は、共通抵抗３７の抵抗値を差分抵抗３８の抵抗値よりも十分に大きい値に設定する。このためレーザ駆動部３１は、共通抵抗３７の抵抗値のばらつきにより重畳周波数が高くなると重畳振幅も大きくなるような、特性曲線Ｑ３が得られる。これによりレーザ駆動部３１は、共通抵抗３７の抵抗値がばらついて重畳周波数が変動することがあっても、当該変動に追従するように重畳振幅を変動させ、レーザダイオード２２に常にほぼ一定の振幅であるパルスを出力させることができる。
【０１０３】
＜２．第２の実施の形態＞
［２−１．光ディスク装置、光ピックアップ及びレーザ駆動部の構成］
第２の実施の形態による光ディスク装置１０１（図１）は、第１の実施の形態による光ディスク装置１と比較して、光ピックアップ２０に代えて光ピックアップ１２０が設けられている点が異なっているものの、他は同様に構成されている。
【０１０４】
光ピックアップ１２０（図２）は、第１の実施の形態による光ピックアップ２０と比較して、レーザ駆動部３１に代えてレーザ駆動部１３１が設けられている点が異なっているものの、他は同様に構成されている。
【０１０５】
図３との対応部分に同一符号を付した図８に示すように、レーザ駆動部１３１はレーザ駆動部３１と比較して、差分抵抗３８がＩＣであるレーザ駆動回路１２１の内部に設けられ、レーザ駆動回路１２１の外部に外部端子３９の１本のみが設けられている点が異なっている。
【０１０６】
レーザ駆動部１３１は、信号処理部１８（図１）から再生光量信号を供給されると当該再生光量信号をレーザ駆動回路１２１に供給する。レーザ駆動回路１２１は、当該再生光量信号に応じた定常電流を生成する。さらにレーザ駆動回路１２１は、高周波重畳回路３２により当該定常電流に高周波電流を重畳してレーザ駆動電流ＳＤを生成し、レーザダイオード２２に供給する。
【０１０７】
レーザダイオード２２は、レーザ駆動電流ＳＤを供給されると、当該レーザ駆動電流ＳＤに重畳されている高周波電流の周期と等しい周期でなり、当該高周波電流の周期及び振幅に対応した振幅を有する、パルス状でなる光ビームＬ１を出射する。
【０１０８】
レーザ駆動回路１２１の外部に設けられた外部端子３９には共通抵抗３７が接続されており、重畳周波数設定端子３５は共通抵抗３７を介して基準電位ＧＮＤと接続されている。そのとき重畳周波数設定抵抗値は共通抵抗３７の抵抗値となる。
【０１０９】
一方高周波重畳回路３２の重畳振幅設定端子３６には差分抵抗３８が接続されており、さらに差分抵抗３８は外部端子３９を介して共通抵抗３７と接続されている。そのとき重畳振幅設定抵抗値は共通抵抗３７と差分抵抗３８との抵抗値の和となる。また、共通抵抗３７の抵抗値は差分抵抗３８の抵抗値よりも十分に大きい値に設定されており、例えば共通抵抗３７の抵抗値が１０［ｋΩ］、差分抵抗３８の抵抗値が１［ｋΩ］に設定されている。
【０１１０】
ここで、差分抵抗３８の抵抗値はレーザ駆動回路１２１の設計段階で決定され、ＩＣであるレーザ駆動回路１２１内部に当該差分抵抗３８が組み込まれている。
【０１１１】
第２の実施の形態によるレーザ駆動回路１２１は、第１の実施の形態によるレーザ駆動回路２１と同様に、重畳周波数設定抵抗値と重畳振幅設定抵抗値の大部分を共通抵抗３７により共通化されている。
【０１１２】
このため第２の実施の形態によるレーザ駆動部１３１は、第１の実施の形態によるレーザ駆動部３１と同様に、重畳周波数設定抵抗値を設定している共通抵抗３７の抵抗値がばらついて、重畳周波数が変化することがあっても、レーザダイオード２２に常にほぼ一定の振幅のパルスを出力させることができる。
【０１１３】
［２−２．動作及び効果］
以上の構成においてレーザ駆動部１３１は、高周波重畳回路３２により定常電流に高周波電流を重畳してレーザ駆動電流ＳＤを生成し、レーザダイオード２２に供給することにより、パルス状でなる光ビームを出射させる。
【０１１４】
また差分抵抗３８はその抵抗値をレーザ駆動回路１２１の設計段階で決定され、レーザ駆動回路１２１内部に組み込まれるようにした。
【０１１５】
これによりレーザ駆動部１３１は、レーザ駆動回路１２１の外部に接続する抵抗の数を減らすことができ、レーザ駆動部１３１の部品点数を削減し、レーザ駆動部１３１を小型化させ、実装部品のコストを低下させることができる。
【０１１６】
またレーザ駆動部１３１は、レーザ駆動回路１２１の外部に設ける、抵抗を接続する端子の数を減らすことができ、レーザ駆動回路１２１を小型化させることができる。
【０１１７】
この場合レーザ駆動部１３１は、予め使用するレーザ駆動回路１２１のＩＣパッケージが決められており、ＩＣパッケージの外部端子の数も決められている場合では、使用する端子数が削減されたことにより余った端子を、他の信号用等の端子として使用することも可能である。
【０１１８】
ところで、本実施の形態による光ピックアップ１２０は、ＢＤ方式の光ディスクに対応するため、１波長の光ビームのみを出射する。
【０１１９】
ここで、ＢＤ方式だけでなくＣＤ及びＤＶＤ方式の光ディスクに対応する光ピックアップの場合、当該光ピックアップは３波長の光ビームを出射する。また、それらの波長に対応したレーザダイオードごとに高周波重畳回路３２が必要となるため、当該光ピックアップは、レーザ駆動回路の内部に合計で３組の高周波重畳回路３２が必要となる。
【０１２０】
そのため３波長対応の光ピックアップでは、差分抵抗３８をレーザ駆動回路１２１内部に取り込まない場合、レーザ駆動回路１２１の外部端子が合計で６個必要となると共に、それらの外部端子にそれぞれ接続される抵抗も合計で６個必要となる。
【０１２１】
これに対して光ピックアップ１２０では、差分抵抗３８をレーザ駆動回路１２１内部に取り込むため、１波長あたり外部端子を１端子、外部抵抗を１個減らすことができ、３波長の場合では外部端子を３端子、外部抵抗を３個減らすことができる。
【０１２２】
このため、光ピックアップ１２０は、対応する波長の種類が多いほど、レーザ駆動回路１２１及びレーザ駆動部１３１の部品点数の削減、小型化の効果を顕著に奏する。
【０１２３】
その他、レーザ駆動部１３１は、第１の実施の形態によるレーザ駆動部３１とほぼ同様の作用効果を奏し得る。
【０１２４】
以上の構成によれば、レーザ駆動部１３１は、重畳周波数設定端子３５には共通抵抗３７を接続し、重畳振幅設定端子３６には共通抵抗３７と差分抵抗３８とを接続し、重畳周波数設定抵抗値と重畳振幅設定抵抗値の値の一部を共通抵抗３７に共通化させる。またレーザ駆動部３１は、共通抵抗３７の抵抗値を差分抵抗３８の抵抗値よりも十分に大きい値に設定する。差分抵抗３８はその抵抗値をレーザ駆動回路１２１の設計段階で決定され、レーザ駆動回路１２１内部に組み込まれる。これによりレーザ駆動部１３１は、レーザ駆動回路１２１の外部に接続する抵抗の数を減らすことができ、レーザ駆動部１３１の部品点数を削減し、レーザ駆動部１３１を小型化させ、実装部品のコストを低下させることができる。またレーザ駆動部１３１は、レーザ駆動回路１２１の外部に設ける、抵抗を接続する端子の数を減らすことができ、レーザ駆動回路１２１を小型化させることができる。
【０１２５】
＜３．第３の実施の形態＞
［３−１．光ディスク装置、光ピックアップ及びレーザ駆動部の構成］
第３の実施の形態による光ディスク装置２０１（図１）は、第２の実施の形態による光ディスク装置１０１と比較して、光ピックアップ１２０に代えて光ピックアップ２２０が設けられている点が異なっているものの、他は同様に構成されている。
【０１２６】
光ピックアップ２２０（図２）は、第２の実施の形態による光ピックアップ１２０と比較して、レーザ駆動部１３１に代えてレーザ駆動部２３１が設けられている点が異なっているものの、他は同様に構成されている。
【０１２７】
図８との対応部分に同一符号を付した図９に示すように、レーザ駆動部２３１は、レーザ駆動部１３１と比較して、レーザ駆動回路１２１からレーザダイオード２２までの電流伝送回路パターンにおいて屈曲部２４１を有している点が異なっている。
【０１２８】
レーザ駆動部２３１は、信号処理部１８（図１）から再生光量信号を供給されると当該再生光量信号をレーザ駆動回路１２１に供給する。レーザ駆動回路１２１は、当該再生光量信号に応じた定常電流を生成する。さらにレーザ駆動回路１２１は、高周波重畳回路３２により当該定常電流に高周波電流を重畳してレーザ駆動電流ＳＤを生成し、レーザダイオード２２までの電流伝送回路パターンにおける屈曲部２４１を介してレーザダイオード２２に供給する。
【０１２９】
屈曲部２４１は、その屈曲回数、屈曲角度、屈曲半径、パターン幅等が適切に調整されており、レーザ駆動電流ＳＤに重畳されている高周波電流の振幅及び周波数を変化させるようになされている。
【０１３０】
レーザダイオード２２は、屈曲部２４１を通過したレーザ駆動電流ＳＤを供給されると、当該レーザ駆動電流ＳＤに重畳されている高周波電流の周期と等しい周期でなり、当該高周波電流の周期及び振幅に対応した振幅を有する、パルス状でなる光ビームＬ１を出射する。
【０１３１】
このときレーザ駆動部２３１は、重畳周波数に対する光ビームのパルスの振幅の関係が図７に示した特性曲線Ｑ４のようになるよう屈曲部２４１が調整され、レーザ駆動回路１２１からレーザダイオード２２までの回路特性が設定されている。
【０１３２】
ここで、差分抵抗３８の抵抗値はレーザ駆動回路１２１の設計段階で決定され、ＩＣであるレーザ駆動回路１２１内部に当該差分抵抗３８が組み込まれている。
【０１３３】
また屈曲部２４１は、レーザ駆動回路１２１の完成後、当該レーザ駆動回路１２１の特性に合わせて設計される。
【０１３４】
レーザ駆動部２３１は、第２の実施の形態によるレーザ駆動部１３１と同様に、重畳周波数設定抵抗値と重畳振幅設定抵抗値の大部分を共通抵抗３７により共通化されている。
【０１３５】
［３−２．動作及び効果］
以上の構成においてレーザ駆動部２３１は、差分抵抗３８の抵抗値をレーザ駆動回路１２１の設計段階で決定され、ＩＣであるレーザ駆動回路１２１内部に当該差分抵抗３８を組み込むようにした。
【０１３６】
ここで、設計時に決定した差分抵抗３８の抵抗値と、実際にレーザ駆動回路１２１を製造した際に評価した差分抵抗３８の抵抗値とで大きなずれがあった場合、ＩＣであるレーザ駆動回路１２１を再び設計し製造し直す必要があり、多大な時間及び費用を要してしまう。
【０１３７】
これに対してレーザ駆動部２３１は、レーザダイオード２２までの電流伝送回路パターンにおける屈曲部２４１を介してレーザ駆動電流ＳＤの特性を変化させ、レーザダイオード２２に供給するようにした。
【０１３８】
このためレーザ駆動部２３１は、レーザ駆動回路１２１の設計時における差分抵抗３８の抵抗値と、レーザ駆動回路１２１のＩＣ製造後の差分抵抗３８の抵抗値とのずれを、屈曲部２４１を調整して吸収することができる。
【０１３９】
これによりレーザ駆動部２３１は、ＩＣでなるレーザ駆動回路１２１の再設計、再製造を行うのと比べて、電流伝送路である回路パターンの屈曲部２４１を修正するだけで良いため、はるかに短時間、低費用にて抵抗値のずれを吸収することができる。
【０１４０】
またレーザ駆動部２３１は、上記抵抗値のずれを補正するために、レーザ駆動回路１２１の外部に補正用の抵抗を別途追加する必要もない。
【０１４１】
このためレーザ駆動部２３１は、レーザ駆動回路１２１の外部に補正用の抵抗を追加することなく、レーザ駆動部２３１の部品点数を増加させずに、上記抵抗値のずれを補正することができる。
【０１４２】
さらにレーザ駆動部２３１は、重畳周波数設定抵抗値と重畳振幅設定抵抗値の大部分を共通抵抗３７により共通化するようにした。
【０１４３】
これによりレーザ駆動部２３１は、重畳周波数設定抵抗値を設定している共通抵抗３７の抵抗値がばらついて重畳周波数が変化することがあっても、レーザダイオード２２に常にほぼ一定の振幅のパルスを出力させることができる。
【０１４４】
以上の構成によれば、レーザ駆動部２３１は、重畳周波数設定端子３５には共通抵抗３７を接続し、重畳振幅設定端子３６には共通抵抗３７と差分抵抗３８とを接続し、重畳周波数設定抵抗値と重畳振幅設定抵抗値の値の一部を共通抵抗３７に共通化させる。差分抵抗３８はその抵抗値をレーザ駆動回路１２１の設計段階で決定され、レーザ駆動回路１２１内部に組み込まれる。またレーザ駆動部２３１は、レーザ駆動電流ＳＤをレーザダイオード２２までの電流伝送回路パターンにおける屈曲部２４１を介してその特性を変化させ、レーザダイオード２２に供給する。このためレーザ駆動部２３１は、レーザ駆動回路１２１の設計時における差分抵抗３８の抵抗値と、レーザ駆動回路１２１のＩＣ製造後の差分抵抗３８の抵抗値とのずれを、屈曲部２４１を調整して吸収することができる。
【０１４５】
＜４．第４の実施の形態＞
［４−１．光ディスク装置、光ピックアップ及びレーザ駆動部の構成］
第４の実施の形態による光ディスク装置３０１（図１）は、第３の実施の形態による光ディスク装置２０１と比較して、光ピックアップ２２０に代えて光ピックアップ３２０が設けられている点が異なっているものの、他は同様に構成されている。
【０１４６】
光ピックアップ３２０（図２）は、第２の実施の形態による光ピックアップ２２０と比較して、レーザ駆動部２３１に代えてレーザ駆動部３３１が設けられている点が異なっているものの、他は同様に構成されている。
【０１４７】
図９との対応部分に同一符号を付した図１０に示すように、レーザ駆動部３３１はレーザ駆動部２３１と比較して、高周波重畳回路３３２に共通設定端子４０が設けられ、差分抵抗３８が省略されている点が異なっている。
【０１４８】
レーザ駆動回路１２１は、高周波重畳回路３２により定常電流に高周波電流を重畳してレーザ駆動電流ＳＤを生成し、レーザダイオード２２までの電流伝送回路パターンにおける屈曲部３４１を介してレーザダイオード２２に供給する。
【０１４９】
屈曲部３４１は、その屈曲回数、屈曲角度、屈曲半径、パターン幅等が適切に調整されており、レーザ駆動電流ＳＤに重畳されている高周波電流の振幅及び周波数を変化させるようになされている。
【０１５０】
レーザダイオード２２は、屈曲部３４１を通過したレーザ駆動電流ＳＤを供給されると、当該レーザ駆動電流ＳＤに重畳されている高周波電流の周期と等しい周期でなり、当該高周波電流の周期及び振幅に対応した振幅を有する、パルス状でなる光ビームＬ１を出射する。
【０１５１】
このときレーザ駆動部３３１は、例えばレーザ駆動電流ＳＤの周波数が高くなるほどその振幅を小さくさせるよう屈曲部３４１が調整され、レーザ駆動回路３２１からレーザダイオード２２までの回路特性が設定されている。
【０１５２】
［４−２．動作及び効果］
以上の構成においてレーザ駆動部３３１は、レーザ駆動電流ＳＤをレーザダイオード２２までの電流伝送回路パターンにおける屈曲部３４１を介してその特性を変化させ、レーザダイオード２２に供給するようにした。
【０１５３】
このためレーザ駆動部３３１は、重畳周波数設定抵抗値と重畳振幅設定抵抗値とを異なる値に設定すべきレーザ駆動部であっても、抵抗値を共通抵抗３７に共通化することができる。
【０１５４】
このためレーザ駆動部３３１は、差分抵抗３８を省略でき、レーザ駆動回路３２１内の回路面積を削減することができる。
【０１５５】
以上の構成によれば、レーザ駆動部３３１は、高周波重畳回路３３２に共通設定端子４０を設け、共通抵抗３７のみを接続する。またレーザ駆動部２３１は、レーザ駆動電流ＳＤをレーザダイオード２２までの電流伝送回路パターンにおける屈曲部３４１を介してその特性を変化させ、レーザダイオード２２に供給する。これによりレーザ駆動部３３１は、レーザ駆動回路３２１の内部の抵抗の数を減らすことができる。またレーザ駆動部３３１は、重畳周波数設定抵抗値と重畳振幅設定抵抗値とを異なる値に設定すべきレーザ駆動部であっても、抵抗値を共通抵抗３７に共通化することができる。
【０１５６】
＜５．他の実施の形態＞
なお上述した第１の実施の形態においては、重畳周波数設定端子３５は共通抵抗３７を介して基準電位ＧＮＤと接続され、重畳振幅設定端子３６は共通抵抗３７及び差分抵抗３８を介して基準電位ＧＮＤと接続される場合について述べた。
【０１５７】
しかしながら本発明はこれに限らず、図１１に示すレーザ駆動部４３１のように、重畳周波数設定端子３５は共通抵抗３７及び差分抵抗３８を介して基準電位ＧＮＤと接続され、重畳振幅設定端子３６は共通抵抗３７を介して基準電位ＧＮＤと接続されるようにしても良い。
【０１５８】
要は重畳周波数設定端子３５と重畳振幅設定端子３６とで、小さい抵抗値で足りる方の端子には共通抵抗３７だけ接続し、大きい抵抗値が必要な端子には、共通抵抗３７の抵抗値だけでは足りなかった抵抗値の分を差分抵抗３８として、共通抵抗３７に加え接続すれば良い。
【０１５９】
レーザ駆動部４３１の場合、共通抵抗３７の抵抗値が差分抵抗３８の抵抗値よりも十分に大きいことが望ましい。差分抵抗３８の抵抗値を共通抵抗３７の抵抗値よりも十分に小さくないと、差分抵抗３８の抵抗値が変化し重畳周波数が変動したときに、それに追従するように重畳振幅設定抵抗値が変化せず、重畳周波数の変動により、光ビームのパルスの振幅が変動してしまうからである。第２及び第３の実施の形態についても同様である。
【０１６０】
また上述した第１の実施の形態による共通抵抗３７及び差分抵抗３８は、それぞれ抵抗器１個により構成されていても良いし、複数の抵抗が直列又は並列に接続されることにより構成されていても良い。また、抵抗値を調整することが可能な可変抵抗器を用いても良い。第２〜第４の実施の形態についても同様である。
【０１６１】
さらに上述した実施の形態においては、光源としてレーザダイオードを用いた場合について述べた。しかしながら本発明はこれに限らず、例えばLED（Light Emitting Diode）等、駆動電流を供給されて注入されたキャリアにより発光するような光源であればよい。
【０１６２】
さらに上述した実施の形態においては、本発明を光ディスク装置に適用した場合について述べた。しかしながら本発明はこれに限らず、例えば光通信機器のように、光源から出射した光を利用する他の製品に本発明を適用するようにしても良い。
【０１６３】
さらに上述した実施の形態においては、高周波重畳回路３２の端子における基準電位ＧＮＤからの抵抗値により、重畳周波数及び重畳振幅を設定した場合について述べた。
【０１６４】
しかしながら本発明はこれに限らず、例えばコンデンサ又はコイルを接続し、当該コンデンサの静電容量又はコイルのインダクタンスを検知する等、高周波重畳回路３２の端子における電気的特性を当該高周波重畳回路３２が検知しても良い。この場合、直列、並列等に関わらず、要はコンデンサやコイル等が共通素子として両端子に接続され、また他のコンデンサやコイル等が差分素子としていずれか一方の端子に接続されていれば良い。
【０１６５】
さらに上述した実施の形態においては、光源駆動部としての高周波重畳回路３２と、共通素子としての共通抵抗３７と、差分素子としての差分抵抗３８とによって、光源駆動装置としてのレーザ駆動部３１及び１３１を構成する場合について述べた。
【０１６６】
しかしながら本発明はこれに限らず、その他種々の回路構成でなる光源駆動部と、共通素子と、差分素子とによって、光源駆動装置を構成するようにしても良い。
【０１６７】
さらに上述した実施の形態においては、光源としてのレーザダイオード２２と、対物レンズとしての対物レンズ１６と、光源駆動部としての高周波重畳回路３２と、共通素子としての共通抵抗３７と、差分素子としての差分抵抗３８と、受光部としてのフォトディテクタ２９とによって、光ピックアップとしての光ピックアップ２０及び１２０を構成する場合について述べた。
【０１６８】
しかしながら本発明はこれに限らず、その他種々の回路構成でなる光源と、対物レンズと、光源駆動部と、共通素子と、差分素子と、受光部とによって、光ピックアップを構成するようにしても良い。
【０１６９】
さらに上述した実施の形態においては、光源としてのレーザダイオード２２と、対物レンズとしての対物レンズ１６と、レンズ駆動制御部としての制御部１１及びアクチュエータ１５と、光源駆動部としての高周波重畳回路３２と、共通素子としての共通抵抗３７と、差分素子としての差分抵抗３８と、受光部としてのフォトディテクタ２９とによって、光ディスク装置としての光ディスク装置１及び１０１を構成する場合について述べた。
【０１７０】
しかしながら本発明はこれに限らず、その他種々の回路構成でなる光源と、対物レンズと、レンズ駆動制御部と、光源駆動部と、共通素子と、差分素子と、受光部とによって、光ディスク装置を構成するようにしても良い。
【産業上の利用可能性】
【０１７１】
本発明は、映像や音声或いは種々のデータ等の情報を光ディスクに記録し、また当該光ディスクから当該情報を再生する光ディスク装置等で利用できる。
【符号の説明】
【０１７２】
１、１０１、２０１、３０１……光ディスク装置、１１……制御部、１２……駆動部、１３……スピンドルモータ、１４……スレッドモータ、１５……アクチュエータ、１６……対物レンズ、１７……対物レンズホルダ、１８……信号処理部、１９……対物レンズ、２０、１２０、２２０、３２０……光ピックアップ、２１、１２１、３２１、４２１……レーザ駆動回路、２２……レーザダイオード、２３……１／２波長板、２４……偏光ビームスプリッタ、２５……コリメータ、２６……立上ミラー、２７……１／４波長板、２８……集光レンズ、２９……フォトディテクタ、３１、１３１、２３１、３３１、４３１、５３１……レーザ駆動部、３２、４３２……高周波重畳回路、３３、３４、３９……外部端子、３５……重畳周波数設定端子、３６……重畳振幅設定端子、３７……共通抵抗、３８……差分抵抗、４０……共通端子、４３７、４３８……外部抵抗、２４１、３４１……屈曲部、Ｑ１、Ｑ２、Ｑ３、Ｑ４……特性曲線、ＯＤ……光ディスク、ＰＯＷ……電源、ＧＮＤ……基準電位。
【図１】
2010244609.tif 000003
【図２】
2010244609.tif 000004
【図３】
2010244609.tif 000005
【図４】
2010244609.tif 000006
【図５】
2010244609.tif 000007
【図６】
2010244609.tif 000008
【図７】
2010244609.tif 000009
【図８】
2010244609.tif 000010
【図９】
2010244609.tif 000011
【図１０】
2010244609.tif 000012
【図１１】
2010244609.tif 000013
【図１２】
2010244609.tif 000014
【図１３】
2010244609.tif 000015
【図１４】
2010244609.tif 000016